(57)【特許請求の範囲】
【請求項１】
地面に起立して設置された照明柱本体と、この照明柱本体の外周に昇降自在に配置されかつ照明器具を取り付けた架台と、この架台を吊り上げるための昇降用ワイヤと、この昇降用ワイヤを巻き取るウインチとを備えた昇降式架台付き照明柱であって、
上記ウインチは、照明柱のメンテナンス時にのみ照明柱本体の下端部に設けた開口部より照明柱本体の内部に搬入して配置されるようになっている一方、
上記照明柱本体の上端部には架台を上限位置に固定するロック装置が設けられており、
上記昇降用ワイヤは、それぞれ一端が架台に連結され、他端が照明柱本体の上端部に各々設けた定滑車を通して照明柱の内部に垂下されかつ１つの連結部材に連結された複数本の架台側昇降用ワイヤと、上記ウインチに巻き付けられ、ウインチを照明柱本体の内部に搬入配置したとき一端が上記連結部材に連結される１本のウインチ側昇降用ワイヤとからなり、
上記連結部材は、照明柱のメンテナンス時以外のときには繋止部材を介して照明柱本体の内面に繋止されるようになっており、
上記照明柱本体の内部には、ウインチを搭載した車輪付きウインチ台が走行可能なレールが開口部から配置位置にまで敷設されているとともに、配置位置でウインチ台の上方移動を規制する規制部材が設けられていることを特徴とする昇降式架台付き照明柱。
【請求項２】
上記照明柱本体は、その上端部がそれより下側の部位とフランジ結合されてなり、このフランジ結合部より上側の部位である照明柱本体の上端部に上記ロック装置及び定滑車が取り付けられている請求項１記載の昇降式架台付き照明柱。
【請求項３】
上記ロック装置は、照明柱本体の中心側より半径方向外側に向かって移動可能に設けられた複数の支持ロッドと、電動モータにより長さが伸縮する１つの伸縮ロッドと、この伸縮ロッドの伸縮動作を上記各支持ロッドの移動に変換して伝達するリンク機構とを有し、架台が上限位置に上昇した時電動モータが作動し、各支持ロッドが半径方向外側に移動して架台を載置支持するように構成されている請求項１又は２記載の昇降式架台付き照明柱。
【請求項４】
地面に起立して設置された照明柱本体と、この照明柱本体の外周に昇降自在に配置されかつ照明器具を取り付けた架台と、この架台を吊り上げるための昇降用ワイヤと、この昇降用ワイヤを巻き取るウインチとを備えた昇降式架台付き照明柱であって、
上記ウインチは、照明柱のメンテナンス時にのみ照明柱本体の下端部に設けた開口部より照明柱本体の内部に搬入して配置されるようになっている一方、
上記照明柱本体の上端部には架台を上限位置に固定するロック装置が設けられており、
上記昇降用ワイヤは、それぞれ一端が架台に連結され、他端が照明柱本体の上端部に各々設けた定滑車を通して照明柱の内部に垂下されかつ１つの連結部材に連結された複数本の架台側昇降用ワイヤと、上記ウインチに巻き付けられ、ウインチを照明柱本体の内部に搬入配置したとき一端が上記連結部材に連結される１本のウインチ側昇降用ワイヤとからなり、
上記連結部材は、照明柱のメンテナンス時以外のときには繋止部材を介して照明柱本体の内面に繋止されるようになっており、
上記ロック装置は、照明柱本体の中心側より半径方向外側に向かって移動可能に設けられた複数の支持ロッドと、電動モータにより長さが伸縮する１つの伸縮ロッドと、この伸縮ロッドの伸縮動作を上記各支持ロッドの移動に変換して伝達するリンク機構とを有し、架台が上限位置に上昇した時電動モータが作動し、各支持ロッドが半径方向外側に移動して架台を載置支持するように構成されていることを特徴とする昇降式架台付き照明柱。
【請求項５】
複数の昇降式架台付き照明柱に対し昇降用ワイヤを巻き取るウインチを兼用するときに用いるウインチ搬送用キャリヤーであって、
地面上を走行するキャリヤー本体と、
このキャリヤー本体のテーブル上に配置されたテーブルレールと、
このテーブルレールの地上高さを調整する高さ調整手段と、
上記テーブルレール上に走行可能に載置されたウインチを搭載した車輪付きウインチ台と、
キャリヤー本体を照明柱の外部近傍に配置して上記車輪付きウインチ台を照明柱の下端部に設けた開口部を通して照明柱の内部に搬入するとき上記テーブルレールの延長線上でキャリヤー本体と照明柱の開口部との間に掛け渡されるレールとを備えたことを特徴とするウインチ搬送用キャリヤー。
【請求項６】
上記高さ調整手段は、キャリヤー本体のテーブル上に固定されかつ上縁に長手方向に傾斜する傾斜面を有するガイドレールと、このガイドレールの傾斜面上を転動する車輪を有しかつ上記テーブルレールが固定された調整台と、この調整台をガイドレールに沿って移動させかつ任意の位置で固定する送り出し機構とからなる請求項５記載のウインチ搬送用キャリヤー。
【発明の詳細な説明】
【０００１】
【発明の属する技術分野】
本発明は、空港エプロンや駐車場などの広い場所を照明するために設置される昇降式架台付き照明柱及びその架台昇降方法、並びにその方法の実施に直接使用するウインチ運搬用キャリヤーに関する。
【０００２】
【従来の技術】
従来、この種の昇降式架台付き照明柱として、例えば特開平１０−６４３２７号公報に開示されるように、地面に起立して設置された照明柱本体と、この照明柱本体の外周に昇降自在に配置されかつ照明器具を取り付けた架台と、この架台を照明柱本体に沿って昇降させる昇降装置とを備え、通常は架台を照明柱本体の上限位置に上昇させておき、メンテナンス時に架台を下降させるようにしたものは知られている。昇降装置は種々のタイプのものがあり、区別の仕方も様々であるが、バランスウエイトの有無によって区別することもできる。
【０００３】
バランスウエイトを有するものでは、上記例示の公報に開示されるように、照明柱本体の上端部に設けた定滑車に掛けた昇降用ワイヤの一端を架台に連結し、他端を照明柱本体の内部に垂下しかつバランスウエイトに直接又は動滑車を介して連結するとともに、照明柱本体の内部にモータなどの駆動装置を設置し、この駆動装置によりチェーンなどを介してバランスウエイトを照明柱本体内で昇降させることにより、このバランスウエイトと重量的に均衡する架台を昇降させる構成になっている。
【０００４】
また、バランスウエイトの無いものでは、照明柱本体の上端部に設けた定滑車に掛けた昇降用ワイヤの一端を架台に連結し、他端を照明柱本体の内部に垂下しかつ照明柱本体の内部に設置したウインチに連結し、このウインチにより昇降用ワイヤを巻き取り又は送り出して架台を昇降させる構成になっている。
【０００５】
【発明が解決しようとする課題】
ところが、上記従来の照明柱のうち、バランスウエイトを有するものでは、昇降装置の構成が複雑であって、比較的狭い空間の照明柱本体内にバランスウエイト、昇降用ワイヤ及びチェーンなどの多くのものを動作可能に配置しているため、故障が生じ易く、しかもその修理が面倒であるという問題があった。
【０００６】
一方、バランスウエイトの無いものでは、昇降装置の構成自体は比較的簡単であり、故障も少ないが、架台の全荷重がウインチにかかるため、ウインチに大型で高出力のものを使用しなければならず、その分設備コストが高くなるという問題がある。特に、空港エプロンなどに昇降式架台付き照明柱を複数設置する場合があるから、その問題が一層顕著なものとなる。
【０００７】
本発明はかかる諸点に鑑みてなされたものであり、その第１の課題とするところは、空港エプロンなどに昇降式架台付き照明柱、特にバランスウエイトの無いものを複数設置する場合に各照明柱でウインチを兼用して架台を昇降させることにより、作業の容易化を図りながら、設備コストの低廉化に寄与し得る昇降式架台付き照明柱の架台昇降方法を提供せんとするものである。
【０００８】
また、本発明の第２の課題は、上記の架台昇降方法を実施するのに適した昇降式架台付き照明柱並びにウインチ搬送用キャリヤーを提供せんとするものである。
【０００９】
【課題を解決するための手段】
上記第１の課題を解決するため、特に請求項としないが、複数の昇降式架台付き照明柱に対し昇降用ワイヤを巻き取るウインチを兼用するための架台昇降方法として、各照明柱の架台が照明柱の上限位置に上昇しているときにはロック装置により架台を固定するとともに、一端が架台に連結され他端が照明柱の上端部に設けた定滑車を通して照明柱の内部の下端部にまで垂下された架台側昇降用ワイヤの他端を照明柱の内面に繋ぎ止めておき、各照明柱のメンテナンス時に架台を下降させるときには先ずウインチを照明柱の内部又は外部近傍に配置し、このウインチに巻き付けたウインチ側昇降用ワイヤの一端を、照明柱内面への繋止状態から外した架台側昇降用ワイヤの他端に連結し、続いて上記ロック装置による架台の固定状態を解除した後、ウインチ側昇降用ワイヤをウインチより送り出して架台を下降させる構成とする。
【００１０】
この構成では、各照明柱にウインチを常時装備していなくてもメンテナンス時にウインチを照明柱の内部又は外部近傍に配置し、このウインチに巻き付けたウインチ側昇降用ワイヤの一端を架台側昇降用ワイヤの他端に連結することなどにより、ウインチを用いて架台を地上近くにまで下降させたり、上限位置にまで上昇させたりすることができる。
【００１１】
上記第２の課題を解決するため、請求項１に係る発明は、地面に起立して設置された照明柱本体と、この照明柱本体の外周に昇降自在に配置されかつ照明器具を取り付けた架台と、この架台を吊り上げるための昇降用ワイヤと、この昇降用ワイヤを巻き取るウインチとを備えた昇降式架台付き照明柱において、上記ウインチを、照明柱のメンテナンス時にのみ照明柱本体の下端部に設けた開口部より照明柱本体の内部に搬入して配置するように構成する一方、上記照明柱本体の上端部に、架台を上限位置に固定するロック装置を設け、上記昇降用ワイヤを、それぞれ一端が架台に連結され、他端が照明柱本体の上端部に各々設けた定滑車を通して照明柱の内部に垂下されかつ１つの連結部材に連結された複数本の架台側昇降用ワイヤと、上記ウインチに巻き付けられ、ウインチを照明柱本体の内部に搬入配置したとき一端が上記連結部材に連結される１本のウインチ側昇降用ワイヤとによって構成する。また、上記連結部材を、照明柱のメンテナンス時以外のときには繋止部材を介して照明柱本体の内面に繋止するように構成する。
【００１２】
この構成では、照明柱のメンテナンス時には照明柱本体下端部の開口部よりウインチを照明柱本体の内部に搬入配置した後、このウインチに巻き付けられた１本のウインチ側昇降用ワイヤの一端を、照明柱本体の内面に繋止部材を介して繋止された連結部材に連結することにより、連結部材を介して１本のウインチ側昇降用ワイヤと複数本の架台側昇降用ワイヤとの連結を容易に行うことができる。続いて、繋止部材による連結部材の繋止状態を外すとともに、ロック装置による架台の固定状態を解除した後、ウインチ側昇降用ワイヤをウインチより送り出すことにより、架台を地上近くにまで下降させることができ、また、ウインチによりウインチ側昇降用ワイヤを巻き取ることにより、架台を上限位置にまで上昇させることができる。この際、架台は、照明柱本体の上端部に各々設けた定滑車を通した複数本の架台側昇降用ワイヤにより吊り下げられているため、安定性良く昇降することになる。
【００１３】
請求項１に係る発明は、更に、上記照明柱本体の内部に、ウインチを搭載した車輪付きウインチ台が走行可能なレールを開口部から配置位置にまで敷設するとともに、配置位置でウインチ台の上方移動を規制する規制部材を設ける構成とする。この構成では、照明柱のメンテナンス時に照明柱本体下端部の開口部よりウインチを照明柱本体の内部に搬入配置する際、ウインチを搭載した車輪付きウインチ台を、照明柱本体内の開口部から配置位置にまで敷設したレール上を走行させことにより、ウインチの搬入を容易に行うことができる上、配置位置ではウインチ台の上方移動が規制部材により規制されるため、ウインチ台ないしウインチの搬入配置を一層容易に行うことができる。
【００１４】
請求項２に係る発明は、請求項１記載の昇降式架台付き照明柱において、上記照明柱本体の上端部をそれより下側の部位とフランジ結合し、このフランジ結合部より上側の部位である照明柱本体の上端部に上記ロック装置及び定滑車を取り付ける構成とする。この構成では、照明柱の施工時には予めロック装置及び定滑車を取り付けた照明柱本体の上端部がユニット化され、施工現場ではこの照明柱本体の上端部を下側の部位とフランジ結合するだけで足り、ロック装置などの取付作業を行う必要がなく、その分施工が簡易なものになる。
【００１５】
請求項３に係る発明は、請求項１又は２記載の昇降式架台付き照明柱において、上記ロック装置の好ましい形態を提供するものである。すなわち、ロック装置として、照明柱本体の中心側より半径方向外側に向かって移動可能に設けられた複数の支持ロッドと、電動モータにより長さが伸縮する１つの伸縮ロッドと、この伸縮ロッドの伸縮動作を上記各支持ロッドの移動に変換して伝達するリンク機構とを有し、架台が上限位置に上昇した時電動モータが作動し、各支持ロッドが半径方向外側に移動して架台を載置支持するように構成する。この構成では、１つの電動モータの作動により伸縮ロッド及びリンク機構を介して複数の支持ロッドが照明柱本体の中心側より半径方向外側に移動し、これらの支持ロッド上に架台が載置支持されて上限位置に固定されるため、架台の固定が比較的簡単な構成でかつ確実に行われる。また、請求項４に係る発明は、地面に起立して設置された照明柱本体と、この照明柱本体の外周に昇降自在に配置されかつ照明器具を取り付けた架台と、この架台を吊り上げるための昇降用ワイヤと、この昇降用ワイヤを巻き取るウインチとを備えた昇降式架台付き照明柱において、上記ウインチを、照明柱のメンテナンス時にのみ照明柱本体の下端部に設けた開口部より照明柱本体の内部に搬入して配置するように構成する一方、上記照明柱本体の上端部に、架台を上限位置に固定するロック装置を設け、上記昇降用ワイヤを、それぞれ一端が架台に連結され、他端が照明柱本体の上端部に各々設けた定滑車を通して照明柱の内部に垂下されかつ１つの連結部材に連結された複数本の架台側昇降用ワイヤと、上記ウインチに巻き付けられ、ウインチを照明柱本体の内部に搬入配置したとき一端が上記連結部材に連結される１本のウインチ側昇降用ワイヤとによって構成し、上記連結部材を、照明柱のメンテナンス時以外のときには繋止部材を介して照明柱本体の内面に繋止するように構成し、更に、上記ロック装置を、照明柱本体の中心側より半径方向外側に向かって移動可能に設けられた複数の支持ロッドと、電動モータにより長さが伸縮する１つの伸縮ロッドと、この伸縮ロッドの伸縮動作を上記各支持ロッドの移動に変換して伝達するリンク機構とを有し、架台が上限位置に上昇した時電動モータが作動し、各支持ロッドが半径方向外側に移動して架台を載置支持するように構成する。
【００１６】
請求項５に係る発明は、複数の昇降式架台付き照明柱に対し昇降用ワイヤを巻き取るウインチを兼用するときに用いるウインチ搬送用キャリヤーとして、地面上を走行するキャリヤー本体と、このキャリヤー本体のテーブル上に配置されたテーブルレールと、このテーブルレールの地上高さを調整する高さ調整手段と、上記テーブルレール上に走行可能に載置されたウインチを搭載した車輪付きウインチ台と、キャリヤー本体を照明柱の外部近傍に配置して上記車輪付きウインチ台を照明柱の下端部に設けた開口部を通して照明柱の内部に搬入するとき上記テーブルレールの延長線上でキャリヤー本体と照明柱の開口部との間に掛け渡されるレールとを備える構成とする。
【００１７】
この構成では、搬送用キャリヤーを用いてウインチを照明柱の内部に搬入するときには、先ず、ウインチを搭載した車輪付きウインチ台をテーブルレール上に載置したキャリヤー本体を手押しなどで地上を走行させて照明柱の外部近傍に配置した後、テーブルレールの延長線上でキャリヤー本体と照明柱の開口部との間に、キャリヤー本体などに備え付けのレールを掛け渡す。次に、高さ調整手段によりテーブルレールの地上高さを調整して掛け渡したレールとの繋がり具合を水平にし、このレール上を通してウインチ台を照明柱の内部に搬入する。これにより、ウインチの照明柱内への搬入を容易にかつ迅速に行うことができる。
【００１８】
請求項６に係る発明は、請求項５記載のウインチ搬送用キャリヤーにおいて、上記高さ調整手段の好ましい形態を提供するものである。すなわち、高さ調整手段を、キャリヤー本体のテーブル上に固定されかつ上縁に長手方向に傾斜する傾斜面を有するガイドレールと、このガイドレールの傾斜面上を転動する車輪を有しかつ上記テーブルレールが固定された調整台と、この調整台をガイドレールに沿って移動させかつ任意の位置で固定する送り出し機構とにより構成する。この構成では、ガイドレールの傾斜面上における調整台の位置を送り出し機構により変更することで調整台に固定されたテーブルレールの地上高さを容易に調整することができる。
【００１９】
【発明の実施の形態】
以下、本発明の実施の形態を図面に基づいて説明する。
図１ないし図３は本発明の一実施形態に係る昇降式架台付き照明柱Ａの全体構成を示し、この照明柱Ａは、地面１上に垂直に起立して設置された照明柱本体２と、この照明柱本体２の外周に昇降自在に配置された架台３と、この架台３を吊り上げるための昇降用ワイヤ４と、このワイヤ４を巻き取るウインチ５とを備えている。
【００２０】
上記照明柱本体２は、上方に向かうに従って直径が次第に小さくなる中空の鋼管からなり、下端の直径は８５０ｍｍ程度であり、上端の直径は５５０ｍｍ程度である。この照明柱本体２の下端部には開口部６が設けられており、上記ウインチ５は、照明柱Ａのメンテナンス時にのみこの開口部６より照明柱本体２の内部に搬入されるようになっている。照明柱本体２の下端部外周には防護柵７が設けられている。
【００２１】
上記架台３は、図４に詳示するように、直径が照明柱本体２の下端の直径よりも一回り大きい円環状の内枠材１１と、この内枠材１１から円周方向に等間隔にかつ放射状に突出して設けられた８本の梁材１２，１２，…と、この８本の梁材１２，１２，…の先端同士を連結してなる正八角形状の外枠材１３とからなる。外枠材１３の各角部にはそれぞれ照明器具１４が取り付けられており、架台３が照明柱本体２の上限位置に上昇している状態（図１及び図２に示す状態）において合計８つの照明器具１４，１４，…により照明柱本体２周囲の広い領域を照らすようになっている。
【００２２】
また、上記照明柱本体２は、図５及び図６に拡大詳示するように、その上端部２ａがそれより下側の部位２ｂとフランジ結合、つまり上端部２ａに設けたフランジ２ｃと下側の部位２ｂに設けたフランジ２ｄとを重ね合わせかつボルトとナットとで締結してなり、このフランジ結合部より上側の部位である照明柱本体２の上端部２ａには、昇降用ワイヤ４（詳しくは後述の架台側昇降用ワイヤ４８）をそれぞれ通すための２つのワイヤ用定滑車１５，１５、送電ケーブル１６（図７参照）を通すためのケーブル用定滑車１７、この両定滑車１５，１７を覆うカバー体１８及び架台３を上限位置に固定するロック装置１９などが取り付けられている。カバー本体１８は、照明柱本体２の上端部２ａの外周面に円周方向に等間隔でかつ放射方向に突出して設けられた４本の支持部材２１，２１，…に支持されており、この各支持部材２１と照明柱本体２の上端部２ａのフランジ２ｃとの間にはそれぞれ支え材２２が設けられている。カバー本体１８の上面には避雷針２３が垂直に立てて取り付けられている。
【００２３】
上記ロック装置１９は、図７ないし図９に詳示するように、それぞれ照明柱本体２から上記各支え材２２に貫通して設けた鞘管２５内を通して照明柱本体２の中心側より半径方向外側に向かって移動可能に設けられた４つの支持ロッド２６，２６，…と、照明柱本体２の内部中心線に沿って配置された１つの電動式伸縮ロッド３０とを有している。伸縮ロッド３０は、図１０に示すように、ハウジング３１内に回転自在に設けられかつ外周面に雄ねじを有するねじ棒からなる第１ロッド３２と、この第１ロッド３２の外周面の雄ねじと螺合する雌ねじ部３３ａを内周面に有しかつハウジング３１内より下方に延出する中空の第２ロッド３３と、ハウジング３１を拘束するように照明柱本体２に固定部材３４を介して固定された鞘管３５と、ハウジング３１側に設けられ第１ロッド３２を回転駆動する電動モータ３６とを備え、電動モータ３６により第１ロッド３２を回転させると第２ロッド３３が第１ロッド３２に沿ってねじ送りされ、この第２ロッド３３のハウジング３１からの延出量が変化すると同時にハウジング３１の外周面上における鞘管３５の相対的な位置が変化するようになっている。つまり、伸縮ロッド３０の固定個所である鞘管３５を中心に見るとハウジング３１と第２ロッド３３とが上下方向に互いに同期して伸張動作をするようになる。
【００２４】
上記伸縮ロッド３０のハウジング３１には上バンド４１が、伸縮ロッド３０の第２ロッド３３の先端部には下バンド４２がそれぞれ装着されているとともに、上バンド４１と上記各支持ロッド２６の一端とはそれぞれ上リンク４３を介して連結され、下バンド４２と各支持ロッド２６の一端とはそれぞれ下リンク４４を介して連結されており、上下２つのバンド４１，４２及び上下８つのリンク４３，４４により、伸縮ロッド３０の伸縮動作（第２ロッド３３の延出量の変化）を各支持ロッド２６の移動に変換して伝達するリンク機構４５が構成されている。
【００２５】
さらに、上記各支持部材２１にはそれぞれ支え材２２との接続部より外側（照明柱本体２と反対側）の部位にテーパ状の位置決め凹部４６が形成されているとともに、架台３の内枠材１１には４個所にそれぞれ上記位置決め凹部４６に対応して位置決めピン４７が上向きに突出して設けられており、架台３が上限位置に上昇したとき各位置決めピン４７が位置決め凹部４６に嵌合して架台３の上限位置での位置決めを行うようになっている。４つの位置決めピン４７，４７，…のうち、少なくとも１つの位置決めピンは上限リミットスイッチとしての機能を有し、その位置決めピン４７が位置決め凹部４６に所定の状態に嵌合した時（つまり架台３が上限位置に上昇した時）ウインチ５による昇降ワイヤ４の巻き取り動作ひいては架台３の上昇が停止するとともに、電動式伸縮ロッド３０の電動モータ３６が作動し、ロック装置１９の４つの支持ロッド２６，２６，…がそれぞれ半径方向外側に移動して架台３を上限位置に固定するようになっている。
【００２６】
一方、上記昇降用ワイヤ４は、２本の架台側昇降用ワイヤ４８，４８と１本のウインチ側昇降ワイヤ４９とからなる。各架台側昇降用ワイヤ４８の一端はそれぞれ架台３の中心を挟んで互いに対向する２つの梁材１２，１２の一方に結合部材４０を介して連結され、他端はそれぞれ照明柱本体２の上端部に設けたワイヤ用定滑車１５を通して照明柱本体２の内部に垂下されかつ１つの連結部材５１に連結されている。ウインチ側昇降用ワイヤ４９は、ウインチ５に巻き付けられるもので、図１１及び図１２に拡大詳示するように、照明柱Ａのメンテナンス時にウインチ５を照明柱本体２の内部に搬入配置したとき一端がフック部材５０を介して上記連結部材５１に連結され、この連結部材５１を介して２本の架台側昇降用ワイヤ４８，４８と連結される。連結部材５１は、照明柱Ａのメンテナンス時以外のときには繋止部材としてのチェーン５２，５２を介して照明柱本体２の内面に固定した繋止部５３，５３に繋止されるようになっている。
【００２７】
上記ウインチ５は、車輪付きウインチ台５５に固定して搭載されており、このウインチ台５５に搭載されたまま照明柱Ａのメンテナンス時に開口部６を通して照明柱本体２の内部に搬入される。このウインチ５ないしウインチ台５５を照明柱本体２の内部に搬入するために、図１１ないし図１３に示すように、照明柱本体２の内部には、ウインチ台５５が走行可能な一対のアングル状の走行レール５６，５６が開口部６から配置位置にまで敷設されているとともに、配置位置でウインチ台５５の左右の枠材５５ａ，５５ａのフランジ片をそれぞれ挟持してウインチ台５５の上方移動を規制する左右一対の規制部材５７，５７が走行レール５６と平行に設けられている。
【００２８】
照明柱Ａのメンテナンス時に上記ウインチ５を照明柱Ａに搬送するときには、通常、図１１に示すように、ウインチ搬送用キャリヤーＢが用いられる。この搬送用キャリヤーＢは、図１４ないし図１６に詳示するように、手押しで地面上を走行するキャリヤー本体６０と、このキャリヤー本体６０のテーブル６０ａ上に配置された一対のアングル状のテーブルレール６１，６１と、このテーブルレール６１，６１の地上高さを調整する高さ調整手段６２と、上記テーブルレール６１，６１上に走行可能に載置された上述の車輪付きウインチ台５５とを備えている。
【００２９】
上記高さ調整手段６２は、キャリヤー本体６０のテーブル６０ａ上に固定された左右一対の逆Ｔ字形のガイドレール６３，６３と、この各ガイドレール６３の上縁上を各々転動する前後２つずつ計４つの車輪６４，６４，…を有しかつ上記テーブルレール６１，６１が固定された調整台６５と、この調整台６５をガイドレール６３，６３に沿って移動させかつ任意の位置で固定する送り出し機構６６とからなる。各ガイドレール６３の上縁には、それぞれその上を転動する調整台６５の各車輪６４に対応して、長手方向に傾斜する傾斜面６３ａが前後２つ形成されている。また、送り出し機構６６は、一端部の外周面に雄ねじを形成してなるねじ棒６７と、このねじ棒６７の雄ねじと螺合するねじ孔を有しかつ上記調整台６５に支軸６８回りに回転可能に連結されたねじ孔部材６９と、キャリヤー本体６０に支軸７０回りに回転可能に連結されかつねじ棒６７の他端部を回転可能に支持する支持部材７１と、ねじ棒６７の他端に連結されたハンドル７２とを備え、ハンドル７２によりねじ棒６７を回転させるとねじ孔部材６９と一体的に調整台６５をねじ送りし、この調整台６５の各車輪６４をガイドレール６３の傾斜面６３ａ上を転動させるようになっており、この傾斜面６３ａ上における調整台６５の車輪６４の位置に応じてテーブルレール６１，６１の地上高さが、図１４に示す最低高さ位置と、図１７に示す最高高さ位置との範囲内（４０ｍｍ程度）で調整される。
【００３０】
上記ウインチ搬送用キャリヤーＢは、更に、図１８に示すような仮設レール７５を２本備えており、この仮設レール７５は、平板７５ａ上にアングル材７５ｂをその角部を上向きにした状態で固着してなり、その両端部には、調整台６５に形成した穴７６などに嵌合可能なピン７７が下向きに突出して設けられている。そして、図１１に示すように、キャリヤー本体６０を照明柱本体２の外部近傍に配置してウインチ台５５を照明柱本体２の開口部６を通して照明柱本体２の内部に搬入するとき、上記仮設レール７５をキャリヤーＢのテーブルレール６１の延長線上でキャリヤー本体６０側の調整台６５と照明柱本体２の開口部６及び走行レール５６の近傍との間に掛け渡たし、この仮設レール７５上を通してウインチ台５５を照明柱本体２の内部に搬入するようなっている。
【００３１】
尚、図７及び図１１中、７９は照明柱本体２の内部に配管されたケーブル保護管であって、この保護管７９内を通して送電ケーブル１６を配線するようになっている。
【００３２】
次に、上記照明柱Ａのメンテナンス時に架台３を昇降させる方法ないし作業手順を説明するに、今、照明柱Ａは、図１及び図２に示すように、架台３が照明柱本体２の上限位置に上昇し、架台３に取り付けた照明器具１４，１４，…により照明ができる通常の使用状態にある。この使用状態においては、ロック装置１９により架台３が上限位置に固定されている。また、昇降用ワイヤ４の架台３と連結された２本の架台側昇降用ワイヤ４８，４８は、それぞれ照明柱本体２上端の定滑車１５を通して照明柱本体２の内部の下端部にまで垂下され、連結部材５１及びチェーン５２，５２を介して照明柱本体２内面の繋止部５３，５３に繋止されている。
【００３３】
このような使用状態から架台３を下降させるためには、先ず始めに、ウインチ搬送用キャリヤーＢを用いてウインチ５を搭載した車輪付きウインチ台５５を照明柱本体２の内部に搬入する。このウインチ台５５の搬入は、先ずウインチ台５５をキャリヤーＢのテーブルレール６１上に載置したキャリヤー本体６０を手押しで地上を走行させて照明柱本体２の外部近傍に配置した後、テーブルレール６１の延長線上でキャリヤー本体６０側の調整台６５と照明柱本体２の開口部６及び走行レール５６の近傍との間に仮設レール７５を掛け渡す。続いて、高さ調整手段６２によりテーブルレール６１の地上高さを調整して仮設レール７５及び走行レール５６との繋がり具合を水平にし、この仮設レール７５上及び走行レール５６上を通してウインチ台５５を照明柱本体２内の配置位置に搬入する。これにより、ウインチ台５５の照明柱本体２内への搬入を容易にかつ迅速に行うことができる。しかも、照明柱本体２内の配置位置にウインチ台５５を搬入したときにはウインチ台５５の左右の枠材５５ａ，５５ａのフランジ片がそれぞれ規制部材５７により挟持されてウインチ台５５の上方移動が規制されるため、ウインチ台５５を配置位置に固定するための作業を省略することができる。
【００３４】
しかる後、ウインチ台５５上のウインチ５に巻き付けたウインチ側昇降用ワイヤ４９の一端を、図１１及び図１２に示す如く連結部材５１にフック部材５０を介して連結し、この連結部材５１を介して２本の架台側昇降用ワイヤ４８，４８と連結する。この連結方法では、連結部材５１を用いずウインチ側昇降用ワイヤ４９の一端を直接又はフック部材５１を介して２本の架台側昇降用ワイヤ４８，４８に連結する場合よりも連結を容易にかつ迅速に行うことができる。
【００３５】
続いて、上記チェーン５２，５２による連結部材５１の繋止状態を外すとともに、ウインチ５により架台３を上限リミットスイッチが働くまで吊り上げ、ロック装置１９の支持ロッド２６を引き込んで架台３の固定状態を解除した後、ウインチ５のブレーキ動作を解除してウインチ側昇降用ワイヤ４９をウインチ５より送り出し、架台３を地上近くにまで下降させる（図３参照）。その際、架台３は、照明柱本体２の上端部に各々設けた定滑車１５，１５を通した２本の架台側昇降用ワイヤ４８，４８により吊り下げられているため、安定性良く下降させることができる。
【００３６】
一方、架台３の照明器具１４に対するメンテナンスを終了した後は先ずウインチ５を作動させてウインチ側昇降用ワイヤ４９をウインチ５に巻き取ることにより、架台３を上限位置にまで上昇させる。この上昇の際にも下降のときと同様に架台３を２本の架台側昇降用ワイヤ４８，４８により安定性良く上昇させることができる。そして、架台３が上限位置に上昇した時、架台３側の各位置決めピン４７がそれぞれ照明柱本体２側の位置決め凹部４６に嵌合して架台３の上限位置での位置決めが行われるとともに、１つの位置決めピン４７が上限リミットスイッチとしての機能を発揮することにより、ウインチ５による昇降用ワイヤ４の巻き取り動作ひいては架台３の上昇が停止すると同時に、ロック装置１９の支持ロッド２６を押し出し、架台３をウインチ５により支持ロッド２６上にまで降ろす。
【００３７】
続いて、照明柱本体２内の下端部にまで下降した連結部材５１をチェーン５２，５２を用いて照明柱本体２内面の繋止部５３，５３に繋ぎ止めた後、上記連結部材５１からウインチ側昇降用ワイヤ４８を外す。しかる後、ウインチ台５５を照明柱本体２の内部から開口部６を通して照明柱本体２の外部近傍に配置したキャリヤー本体６０側に搬出する。このウインチ台５５の搬出は、搬入時にキャリヤー本体６０側の調整台６５と照明柱本体２の開口部６及び走行レール５６の近傍との間に掛け渡した仮設レール７５上を通して容易にかつ迅速に行うことができる。
【００３８】
このような架台３の昇降方法によれば、照明柱Ａにウインチ５を常時装備していなくてもメンテナンス時にウインチ５を照明柱本体２の内部に配置し、このウインチ５に巻き付けたウインチ側昇降用ワイヤ４９の一端を連結部材５１を介して架台側昇降用ワイヤ４８の他端に連結するという簡単な作業をするだけでウインチ５を用いて架台３を昇降させることができるので、メンテナンス作業の容易化を図りながら、照明柱Ａの１基当たりの単価を低減することができ、特に複数基の照明柱Ａを設置する場合に有効なものである。
【００３９】
また、上記照明柱Ａにおいては、架台３を上限位置で固定するロック装置１９は、１つの電動モータ３６により伸縮ロッド３０及びリンク機構４５を介して４つの支持ロッド２６，２６，…が照明柱本体２の中心側より半径方向外側に移動し、これらの支持ロッド２６，２６，…上に架台３が載置支持されて上限位置に固定されるため、架台３の固定を比較的簡単な構成でかつ確実に行うことができる。
【００４０】
その上、上記照明柱本体２は、その上端部２ａがそれより下側の部位２ｂとフランジ結合されてなり、このフランジ結合部より上側の部位である照明柱本体２の上端部２ｂに上記ロック装置１９、定滑車１５，１７及びカバー体１８などが取り付けられているため、照明柱Ａの施工時には予めロック装置１９、定滑車１５，１７及びカバー体１８などを取り付けた照明柱本体２の上端部２ａをユニット化しておき、施工現場ではこの照明柱本体２の上端部２ａを下側の部位２ｂとフランジ結合するだけで足り、ロック装置１９などの取付作業を行う必要がないので、施工の簡易化を図ることができる。
【００４１】
さらに、ウインチ５の搬送に用いるウインチ搬送用キャリヤーＢにおいては、ウインチ５を搭載した車輪付きウインチ台５５が走行可能に載置されるテーブルレール６１の地上高さを高さ調整手段６２により調整することができる上、この高さ調整手段６２は、キャリヤー本体６０のテーブル６０ａ上に固定されかつ上縁に長手方向に傾斜する傾斜面６３ａを有するガイドレール６３と、このガイドレール６３の傾斜面６３ａ上を転動する車輪６４を有しかつ上記テーブルレール６１が固定された調整台６５と、この調整台６３をガイドレール６３に沿って移動させかつ任意の位置で固定する送り出し機構６６とからなり、ガイドレール６３の傾斜面６３ａ上における調整台６３の位置を送り出し機構６６により変更することでテーブルレール６１の地上高さを容易に調整することができるので、実施化を図る上で有効なものである。
【００４２】
尚、本発明は上記実施形態に限定されるものではなく、その他種々の実施形態を包含するものである。例えば、上記実施形態の架台昇降方法では、照明柱Ａのメンテナンス時にウインチ５を搭載した車輪付きウインチ台５５を照明柱本体２の内部に搬入したが、本発明の架台昇降方法は、ウインチ５ないしウインチ台５５を照明柱本体２の内部に必ずしも搬入する必要はなく、例えば図１９又は図２０に示すように、ウインチ８０を搭載したウインチ搬送用キャリヤーＣ又はＤを照明柱（照明柱本体２）の外部近傍に配置し、このウインチ８０に巻き付けたウインチ側昇降用ワイヤ８１を、照明柱本体２の内部の下端部に設置した定滑車８２を通して架台側昇降用ワイヤ（図示せず）と連結するようにしてもよい。図１９に示す実施形態は、地面に接する照明柱のベース板８３に設けた固定金具８４，…にキャリヤーＣを固定して配置するものであり、図２０に示す実施形態は、照明柱の防護柵７にキャリヤーＤを当接して配置するものである。
【００４３】
また、上記実施形態の昇降式架台付き照明柱Ａにおいては、架台３を上限位置で固定するロック装置１９として、１つの電動モータ３６により伸縮ロッド３０及びリンク機構４５を介して４つの支持ロッド２６，２６，…を照明柱本体２の中心側より半径方向外側に移動させ、これらの支持ロッド２６，２６，…上に架台３を載置支持して上限位置に固定するように構成したが、本発明の昇降式架台付き照明柱は、この形式のロック装置に限らず、例えば振り子式のフック部材をアクチュエータにより揺動させて架台を上限位置に固定するロック装置を用いて構成してもよいのは勿論である。
【００４４】
【発明の効果】
以上のように、本発明の昇降式架台付き照明柱の架台昇降方法によれば、各照明柱にウインチを常時装備していなくてもメンテナンス時にウインチを照明柱の内部又は外部近傍に配置し、このウインチに巻き付けたウインチ側昇降用ワイヤの一端を架台側昇降用ワイヤの他端に連結するという簡単な作業をするだけでウインチを用いて架台を昇降させることができるので、メンテナンス作業の容易化を図りながら、設備コストの低廉化に寄与することができるものである。
【００４５】
また、本発明の昇降式架台付き照明柱によれば、照明柱のメンテナンス時に照明柱本体下端部の開口部よりウインチを照明柱本体の内部に搬入配置した後、このウインチに巻き付けられた１本のウインチ側昇降用ワイヤの一端を、照明柱本体の内面に繋止部材を介して繋止された連結部材に連結することにより、連結部材を介して１本のウインチ側昇降用ワイヤと複数本の架台側昇降用ワイヤとの連結を容易に行うことができるとともに、架台の昇降を複数本の架台側昇降用ワイヤにより安定性良く吊り下げた状態で行うことができるので、上述の架台昇降方法を実施するのに適したものである。
【００４６】
特に、請求項１に係る発明では、照明柱のメンテナンス時に照明柱本体下端部の開口部よりウインチを照明柱本体の内部に搬入配置する際、ウインチを搭載した車輪付きウインチ台を、照明柱本体内の開口部から配置位置にまで敷設したレール上を走行させことにより、ウインチの搬入を容易に行うことができる上、配置位置ではウインチ台の上方移動が規制部材により規制されるため、ウインチ台ないしウインチの搬入配置をより容易に行うことができ、作業の容易化を一層図ることができる。
【００４７】
請求項２に係る発明では、照明柱の施工時に予めロック装置及び定滑車を取り付けた照明柱本体の上端部をユニット化し、施工現場ではこの照明柱本体の上端部を下側の部位とフランジ結合するだけで足り、ロック装置などの取付作業を行う必要がないので、施工の簡易化を図ることができるという効果をも奏する。
【００４８】
請求項３又は４に係る発明では、１つの電動モータの作動により伸縮ロッド及びリンク機構を介して複数の支持ロッドが照明柱本体の中心側より半径方向外側に移動し、これらの支持ロッド上に架台が載置支持されて上限位置に固定されるため、架台の固定を比較的簡単な構成でかつ確実に行うことができ、実施化を図る上で有効なものである。
【００４９】
さらに、本発明のウインチ搬送用キャリヤーによれば、各照明柱の開口部の地面からの高さが異なる場合でもキャリヤー本体側のテーブルレールの地上高さを調整して、キャリヤー本体と照明柱の開口部との間に掛け渡されるレールを水平にし、このレール上を通してウインチを搭載した車輪付きウインチ台を照明柱の内部に容易にかつ迅速に搬入することができるので、メンテナンス作業の容易化を一層図ることができ、上述の架台昇降方法を実施するのに適したものである。
【００５０】
特に、請求項６に係る発明では、ガイドレールの傾斜面上における調整台の位置を送り出し機構により変更するという比較的簡単な構成によって、テーブルレールの地上高さを容易に調整することができるので、実施化を図る上で有効なものである。
【図面の簡単な説明】
【図１】本発明の実施形態に係る昇降式架台付き照明柱の外観図である。
【図２】上記照明柱の使用状態での内部構造を示す縦断側面図である。
【図３】同じく照明柱の架台を下降させた状態での内部構造を示す縦断側面図である。
【図４】照明柱の架台の構造を示す平面図である。
【図５】図３の照明柱本体の上端部付近の拡大図である。
【図６】図２の照明柱本体の上端部付近の拡大図である。
【図７】図６のＸ−Ｘ線における断面図である。
【図８】図７のＹ−Ｙ線において伸縮ロッドの伸張状態を示す断面図である。
【図９】同じく伸縮ロッドの収縮状態を示す断面図である。
【図１０】伸縮ロッドの第２ロッド延出部分の拡大縦断面図である。
【図１１】ウインチ台を照明柱本体の内部に搬入する状態を示す縦断側面図である。
【図１２】図２の照明柱本体の下端部付近の拡大図である。
【図１３】図１１のＺ−Ｚ線における拡大断面図である。
【図１４】ウインチ搬送用キャリヤーの一部切開側面図である。
【図１５】同正面図である。
【図１６】同平面図である。
【図１７】テーブルレールの地上高さを最高高さ位置にした状態を示す図１４相当図である。
【図１８】（ａ）は仮設レールの平面図、（ｂ）は同側面図である。
【図１９】別の実施形態を示す照明柱本体の下端部付近の断面図である。
【図２０】同じく別の実施形態を示す図１９相当図である。
【符号の説明】
Ａ    昇降式架台付き照明柱
Ｂ，Ｃ，Ｄ    ウインチ搬送用キャリヤー
１    地面
２    照明柱本体
２ａ  上端部
２ｂ  下側の部位
２ｃ，２ｄ    フランジ
３    架台
４    昇降用ワイヤ
５，８０    ウインチ
６    開口部
１４    照明器具
１５    ワイヤ用定滑車
１９    ロック装置
２６    支持ロッド
３０    電動式伸縮ロッド
３６    電動モータ
４５    リンク機構
４８    架台側昇降用ワイヤ
４９，８１    ウインチ側昇降用ワイヤ
５１    連結部材
５２    チェーン（繋止部材）
５５    ウインチ台
５６    走行レール
５７    規制部材
６０    キャリヤー本体
６０ａ  テーブル
６１    テーブルレール
６２    高さ調整手段
６３    ガイドレール
６３ａ  傾斜面
６４    車輪
６５    調整台
６６    送り出し機構
７５    仮設レール
【図１】
0003762271.tif 000002
【図２】
0003762271.tif 000003
【図３】
0003762271.tif 000004
【図４】
0003762271.tif 000005
【図５】
0003762271.tif 000006
【図６】
0003762271.tif 000007
【図７】
0003762271.tif 000008
【図８】
0003762271.tif 000009
【図９】
0003762271.tif 000010
【図１０】
0003762271.tif 000011
【図１１】
0003762271.tif 000012
【図１２】
0003762271.tif 000013
【図１３】
0003762271.tif 000014
【図１４】
0003762271.tif 000015
【図１５】
0003762271.tif 000016
【図１６】
0003762271.tif 000017
【図１７】
0003762271.tif 000018
【図１８】
0003762271.tif 000019
【図１９】
0003762271.tif 000020
【図２０】
0003762271.tif 000021